【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
表示装置は、
ゲート線と、
ソース線と、
前記ゲート線を走査するゲート走査回路と、
ドライバＩＣと、
を備え、
前記ドライバＩＣは、
外部電源の電圧のレベルを検出する電圧検知回路と、
前記ゲート線を駆動する電圧を生成する電圧生成回路と、
前記電圧生成回路の出力電圧と前記外部電源の電圧とを切り替える切替回路と、
前記ソース線を駆動する駆動回路と、
を備え、
前記電圧検知回路が所定電圧範囲内の電圧を検出するとき、
前記切替回路は前記電圧生成回路の出力電圧を前記ゲート走査回路に供給するようにされ、
前記ゲート走査回路は順次ゲート線を選択し、前記電圧生成回路の電圧を出力するようにされ、
前記駆動回路は映像信号に対応した電圧を前記ソース線に供給するようにされ、
前記電圧検知回路が前記所定電圧範囲外の電圧を検出するとき、
前記切替回路は前記外部電源の電圧を前記ゲート走査回路に供給するようにされ、
前記ゲート走査回路はすべての前記ゲート線を選択し、前記外部電源の電圧を出力するようにされ、
前記駆動回路はすべての前記ソース線にＧＮＤレベルを供給するようにされる表示装置。
【請求項２】
請求項１の表示装置において、
前記電圧検知回路が前記所定電圧範囲外の電圧を検出するとき、前記電圧検知回路は電圧検知信号を第１レベルにするようにされ、
前記電圧検知回路が前記所定電圧範囲内の電圧を検出するとき、前記電圧検知回路は前記電圧検知信号を第２レベルにするようにされ、
前記電圧検知信号に基づいて、前記切替回路は前記電圧生成回路の出力電圧と前記外部電源の電圧とを切り替えるようにされる表示装置。
【請求項３】
請求項２の表示装置において、さらに記憶回路を備え、
前記所定電圧範囲は前記記憶回路により変更可能である表示装置。
【請求項４】
請求項３の表示装置において、
前記所定電圧範囲内は所定電圧よりも高い電圧であり、
前記所定電圧範囲外は前記所定電圧以下の電圧である表示装置。
【請求項５】
表示装置は、
ゲート線と、
前記ゲート線を走査するゲート走査回路と、
ドライバＩＣと、
を備え、
前記ドライバＩＣは、
第１外部電源の電圧のレベルを検出する第１電圧検知回路と、
第２外部電源の電圧のレベルを検出する第２電圧検知回路と、
前記ゲート線を駆動する電圧を生成する電圧生成回路と、
前記電圧生成回路の出力電圧と外部電源の電圧とを切り替える切替回路と、
を備え、
前記第１電圧検知回路が第１所定電圧範囲外の電圧を検出するとき、および前記第２電圧検知回路が第２所定電圧範囲外の電圧を検出するとき、前記切替回路は前記外部電源の電圧を前記ゲート走査回路に供給するようにされる表示装置。
【請求項６】
請求項５の表示装置において、
前記第１電圧検知回路が前記第１所定電圧範囲外の電圧を検出するとき、前記第１電圧検知回路は第１電圧検知信号を第１レベルにするようにされ、
前記第１電圧検知回路が前記第１所定電圧範囲内の電圧を検出するとき、前記第１電圧検知回路は前記第１電圧検知信号を第２レベルにするようにされ、
前記第２電圧検知回路が前記第２所定電圧範囲外の電圧を検出するとき、前記第２電圧検知回路は第２電圧検知信号を第１レベルにするようにされ、
前記第２電圧検知回路が前記第２所定電圧範囲内の電圧を検出するとき、前記第２電圧検知回路は前記第２電圧検知信号を第２レベルにするようにされる表示装置。
【請求項７】
請求項６の表示装置において、
前記第１電圧検知信号が前記第１レベルのとき、および前記第２電圧検知信号が前記第１レベルのとき、前記ゲート走査回路はすべての前記ゲート線を選択し、前記外部電源の電圧を出力するようにされる表示装置。
【請求項８】
請求項７の表示装置において、さらに、
ソース線と前記ソース線を駆動する駆動回路とを備え、
前記第１電圧検知信号が前記第１レベルのとき、および前記第２電圧検知信号が前記第１レベルのとき、前記駆動回路はすべての前記ソース線にＧＮＤレベルを供給するようにされる表示装置。
【請求項９】
請求項５の表示装置において、
前記第１外部電源は前記外部電源である。
【請求項１０】
請求項５の表示装置において、さらに記憶回路を備え、
前記第１所定範囲および前記第２所定範囲は前記記憶回路により変更可能である表示装置。
【請求項１１】
請求項６の表示装置において、
前記第１所定電圧範囲内は第１所定電圧よりも高い電圧であり、
前記第１所定電圧範囲外は前記第１所定電圧以下の電圧であり、
前記第２所定電圧範囲内は第２所定電圧よりも高い電圧であり、
前記第２所定電圧範囲外は前記第２所定電圧以下の電圧である表示装置。
【請求項１２】
システムは、
表示装置と、
第１電源と第２電源と第３電源とを有する電源回路と、
前記第１電源の第１安定化コンデンサと、
前記第２電源の第２安定化コンデンサと、
前記第３電源の第３安定化コンデンサと、
を備え、
前記表示装置は、
ゲート線と、
ソース線と、
前記ゲート線を走査するゲート走査回路と、
ドライバＩＣと、
を備え、
前記ドライバＩＣは、
前記第１電源の電圧のレベルを検出する第１電圧検知回路と、
前記第２電源の電圧のレベルを検出する第２電圧検知回路と、
前記第３電源の電圧のレベルを検出する第３電圧検知回路と、
前記ゲート線を駆動する第１電圧および第２電圧を生成する電圧生成回路と、
前記第１電圧および前記第２電圧と、前記第２電源の電圧および前記第３電源の電圧と、を切り替える切替回路と、
前記ソース線を駆動する駆動回路と、
記憶回路と、
を備え、
前記第１電圧検知回路、前記第２電圧検知回路、前記第３電圧検知回路のいずれか１つの出力またはいずれか２つの出力またはいずれもの出力が第１レベルになったとき、前記切替回路は、電源異常信号、前記第２電源の電圧および前記第３電源の電圧を前記ゲート走査回路に供給するようにされるシステム。
【請求項１３】
請求項１２のシステムにおいて、
前記第１電圧検知回路が第１所定電圧以下の電圧を検出するとき、前記第１電圧検知回路は第１電圧検知信号を第１レベルにするようにされ、
前記第１電圧検知回路が前記第１所定電圧より高い電圧を検出するときおよび前記第１電圧検知回路の電圧検知機能がＯＦＦされているとき、前記第１電圧検知回路は前記第１電圧検知信号を第２レベルにするようにされ、
前記第２電圧検知回路が第２所定電圧以下の電圧を検出するとき、前記第２電圧検知回路は第２電圧検知信号を前記第１レベルにするようにされ、
前記第２電圧検知回路が前記第２所定電圧より高い電圧を検出するときおよび前記第２電圧検知回路の電圧検知機能がＯＦＦされているとき、前記第２電圧検知回路は前記第２電圧検知信号を前記第２レベルにするようにされ、
前記第３電圧検知回路が第３所定電圧以下の電圧を検出するとき、前記第３電圧検知回路は第３電圧検知信号を前記第１レベルにするようにされ、
前記第３電圧検知回路が前記第３所定電圧より高い電圧を検出するときおよび前記第３電圧検知回路の電圧検知機能がＯＦＦされているとき、前記第３電圧検知回路は前記第３電圧検知信号を前記第２レベルにするようにされるシステム。
【請求項１４】
請求項１３のシステムにおいて、
前記電源異常信号が前記第１レベルのとき、前記ゲート走査回路はすべての前記ゲート線を選択し、前記第２電源の電圧を前記ゲート線に出力するようにされるシステム。
【請求項１５】
請求項１４のシステムにおいて、
前記電源異常信号が前記第１レベルのとき、前記駆動回路はすべての前記ソース線にＧＮＤレベルを供給するようにされるシステム。
【請求項１６】
請求項１５のシステムにおいて、
前記第１所定電圧、前記第２所定電圧、前記第３所定電圧、前記第１電圧検知回路の電圧検知機能のＯＮ／ＯＦＦ、前記第２電圧検知回路の電圧検知機能のＯＮ／ＯＦＦおよび前記第３電圧検知回路の電圧検知機能のＯＮ／ＯＦＦは前記記憶回路により変更可能であるシステム。
【請求項１７】
請求項１６のシステムにおいて、
前記第１電源の電圧は前記ドライバＩＣのロジック用電源電圧であり、
前記第２電源の電圧は前記ドライバＩＣのアナログ用正電源電圧であり、
前記第３電源の電圧は前記ドライバＩＣのアナログ用負電源電圧であるシステム。